(57)【特許請求の範囲】
【請求項１】
浄化槽から排出された排水が流れる排水経路に設けられており、該排水経路の下流側から浄化槽に排水が逆流することを防止する逆流防止装置を備えた逆流防止ますであって、
前記浄化槽から排出された排水が通過する浄化槽側配管が接続される流入口と、該流入口を介して流入した排水を該排水経路のさらに下流側へ案内する排水経路下流側配管が接続される流出口とが形成されたます本体部を備え、該ます本体部の流出口に前記逆流防止装置が装着されており、
さらに、該逆流防止装置は逆流防止装置本体を有し、該逆流防止装置本体には、一端が前記排水経路下流側配管内に連通し、他端が前記ます本体部内であって前記流出口における排水経路下流側配管の管頂より高い位置にある空間に連通している通気路が形成され、  前記逆流防止装置は、前記ます本体部の流出口に脱着自在に装着されており、さらに、前記逆流防止装置本体は、該逆流防止装置を脱着する際に把持する上向きに突出した取手部を備え、
該取手部は、管体で構成され、一側の管端が該逆流防止装置本体の上部に接続され、他側の管端が前記ます本体部内であって前記流出口における排水経路下流側配管の管頂より高い位置にある空間に配置され、該取手部の内部空間が前記通気路とされ、
前記通気路には、前記排水経路下流側配管内の排水が前記ます本体部内に逆流することを防止する逆流防止手段が配設され、
前記逆流防止手段は、フロート弁で構成され、
前記フロート弁は、球状の弁体を有し、該弁体が、前記取手部における鉛直方向に沿って形成された下端部の内周面に形成された、上側が縮径するテーパー部に上下動自在に配置され、
通常時は、前記弁体の上面部が前記テーパー部の壁面に対して離開して、前記通気路を介して通気が可能となり、
前記排水経路下流側配管内が排水で満たされている場合は、該排水経路下流側配管内の排水が前記弁体を浮遊させて該弁体の上面部が前記テーパー部に押し当てられて前記本体部内の前記空間と前記排水経路下流側配管内とが遮断されてなる
ことを特徴とする逆流防止ます。
【請求項２】
請求項１に記載の逆流防止ますを備えた浄化槽排水構造であって、
浄化槽を備え、前記逆流防止ますにおけるます本体部の流入口が前記浄化槽側に配置され、該ます本体部の流出口が前記排水経路の下流側に配置されていることを特徴とする浄化槽排水構造。
【発明の詳細な説明】
【技術分野】
【０００１】
本発明は、浄化槽から排出された排水が流れる排水経路に設けられる逆流防止ます、及びこれを用いた浄化槽排水構造に関するものである。
【背景技術】
【０００２】
従来、公共下水道設備が整っていない地域において、一般家庭等からの排水を浄化槽を用いて浄化処理し、側溝等の排水設備や河川に排出することが行われている。この場合一般的に、排水経路の下流側から浄化槽へ排水が逆流することを防止するために、逆流防止手段が講じられる。例えば、特許文献１に開示された逆流防止弁付き桝を上記排水経路に適用することができる。
【先行技術文献】
【特許文献】
【０００３】
【特許文献１】特開２０１０−１２６８８８号公報
【発明の概要】
【発明が解決しようとする課題】
【０００４】
しかしながら、特許文献１に開示された構成は、排水の逆流を好適に防止することができるものの、弁体が閉じた状態では該逆流防止ますの内部が気密化されてしまい、浄化槽から排水設備までの間において上流と下流とで通気を確保することができなかった。このため、ます内には臭気が溜まってしまう問題があった。
【０００５】
ます内に臭気が溜まると、該臭気が浄化槽やますの蓋の隙間から漏出して、周囲の環境を悪くする場合があった。また、溜まった臭気をます内から逃がすために、別途臭突管を設けたり、側溝に繋がる通気管を設けたりすると、今度はコストが高くなってしまう。
【０００６】
また、一般的に浄化槽においては、好気性微生物の死滅を防ぐために、該浄化槽内の処理水に空気を継続的に供給している。この空気が配管を通じてます内に流入すると、ますの内圧が高まり、前記逆流防止装置に設けられている弁体が押し上げられ、これにより通気が確保されて内圧が下がるとまた弁体が元の位置に下がるという現象が繰り返し発生する。このように弁体が繰り返し上下動していると、その振動が不快な異音を招いたり、逆流防止機能による止水効果の低下を招いたりする。
【０００７】
また、浄化槽内の処理水に空気を継続的に供給せずに、排水管路を用いて通気がなされている場合には、上述のような逆流防止ますを採用すると、通気が遮断され、浄化槽内の好気性微生物が死滅してしまうという問題が生ずる。
【０００８】
そこで本発明は、排水経路の下流側から浄化槽へ排水が逆流してしまうことを確実に防止しつつ、該排水経路において上流側と下流側との間の通気を確保し、内圧を適正化することができる逆流防止ます、及びこれを用いた浄化槽排水構造を提供することを目的とする。
【課題を解決するための手段】
【０００９】
本発明は、浄化槽から排出された排水が流れる排水経路に設けられており、該排水経路の下流側から浄化槽に排水が逆流することを防止する逆流防止装置を備えた逆流防止ますであって、前記浄化槽から排出された排水が通過する浄化槽側配管が接続される流入口と、該流入口を介して流入した排水を該排水経路のさらに下流側へ案内する排水経路下流側配管が接続される流出口とが形成されたます本体部を備え、該ます本体部の流出口に前記逆流防止装置が装着されており、さらに、該逆流防止装置は逆流防止装置本体を有し、該逆流防止装置本体には、一端が前記排水経路下流側配管内に連通し、他端が前記ます本体部内であって前記流出口における排水経路下流側配管の管頂より高い位置にある空間に連通している通気路が形成され、前記逆流防止装置は、前記ます本体部の流出口に脱着自在に装着されており、さらに、前記逆流防止装置本体は、該逆流防止装置を脱着する際に把持する上向きに突出した取手部を備え、該取手部は、管体で構成され、一側の管端が該逆流防止装置本体の上部に接続され、他側の管端が前記ます本体部内であって前記流出口における排水経路下流側配管の管頂より高い位置にある空間に配置され、該取手部の内部空間が前記通気路とされ、前記通気路には、前記排水経路下流側配管内の排水が前記ます本体部内に逆流することを防止する逆流防止手段が配設され、前記逆流防止手段は、フロート弁で構成され、前記フロート弁は、球状の弁体を有し、該弁体が、前記取手部における鉛直方向に沿って形成された下端部の内周面に形成された、上側が縮径するテーパー部に上下動自在に配置され、通常時は、前記弁体の上面部が前記テーパー部の壁面に対して離開して、前記通気路を介して通気が可能となり、前記排水経路下流側配管内が排水で満たされている場合は、該排水経路下流側配管内の排水が前記弁体を浮遊させて該弁体の上面部が前記テーパー部に押し当てられて前記本体部内の前記空間と前記排水経路下流側配管内とが遮断されてなることを特徴とする逆流防止ますである。
【００１０】
かかる構成とすることにより、前記排水経路において上流側（浄化槽から浄化槽側配管を通じてます本体部内に至るまで）と下流側（逆流防止ますより下流側）との間で好適に通気を確保することができる。これにより、逆流防止ます内に臭気が溜まることを防止することができ、該逆流防止ますの内部空間を適正な内圧に保つことが可能となる。さらに、ます本体部内の内圧が適正化されるため、該逆流防止装置の弁体に対して悪影響を及ぼすことがない。また、かかる構成とすることにより、脱着可能な逆流防止装置を装着する際に使用される取手部に対して、通気路としての機能を新たに付加させることができる。したがって、取手部とは別に通気路用の部材を逆流防止装置に備え付ける必要がないため、逆流防止装置全体がコンパクトな構造となり、ます本体部内のスペースをできる限り広く確保することができると共に、コストも抑えることができる。
【００１１】
前記通気路には、前記排水経路下流側配管内の排水が前記ます本体部内に逆流することを防止する逆流防止手段が配設されていることが望ましい。
【００１２】
かかる構成とすることにより、前記排水経路下流側配管内を流れる排水が該通気路を通ってます本体部内に逆流してしまうことを防止できる。
【００１５】
また、本発明は、上記逆流防止ますを備えた浄化槽排水構造であって、浄化槽を備え、前記逆流防止ますにおけるます本体部の流入口が前記浄化槽側に配置され、該ます本体部の流出口が前記排水経路の下流側に配置されていることを特徴とする浄化槽排水構造である。
【００１６】
かかる構成とすることにより、排水経路の下流側から浄化槽内に排水が流入してしまうことを防止しつつ、上記排水経路において通気を確保することが可能となる。
【発明の効果】
【００１７】
本発明の逆流防止ますは、排水経路の下流側から浄化槽への排水の逆流を防止しつつ、該逆流防止ますの上流側と下流側との間で通気を確保することができる効果がある。また、本発明の浄化槽排水構造は、排水経路の下流側から浄化槽内に排水が逆流してしまうことを防止しつつ、上記排水経路において通気を確保することができる効果がある。
【図面の簡単な説明】
【００１８】
【図１】逆流防止ますを示し、（ａ）は縦断面図、（ｂ）は平面図。
【図２】（ａ）は通常時における通気路を示す拡大縦側断面、（ｂ）は逆流防止時における通気路を示す拡大側断面図。
【図３】変形例の逆流防止ますを備える浄化槽排水構造を示す縦断面図。
【発明を実施するための形態】
【００１９】
以下、本発明の逆流防止ます１Ａ、及びこれを用いた浄化槽排水構造５０を具体化した実施例を詳細に説明する。
【００２０】
図１に示すように、逆流防止ます１Ａは、浄化槽２１から排出された排水を排水設備としての側溝２２まで流出させる排水経路Ｘに設けられている。また、該浄化槽２１と該側溝２２と該逆流防止ます１Ａとが設けられている排水経路Ｘにより、浄化槽排水構造５０が構成されている。
【００２１】
前記逆流防止ます１Ａは、流入口３と流出口４とを備えたます本体部２を備えている。該流入口３には、一端が浄化槽２１に接続された浄化槽側配管１３の他端が接続されている。また、前記流出口４には、一端が側溝２２に接続されている排水経路下流側配管１４の他端が接続されている。
【００２２】
また、前記ます本体部２の下部には泥溜め部５が配設されている。これにより、前記流入口３を介して該ます本体部２内に流入した浄化槽２１からの排水が、該泥溜め部５内に一定量貯留可能とされている。さらに、該ます本体部２の上端には上端開口部６が形成され、該上端開口部６が蓋８によって遮蔽されている。かかる構成は、浄化槽２１から流出した排水が泥溜め部５に常に一定量貯留されているため、該排水の水質を容易に確認することができる。なお、前記上端開口部６には、立ち上がり管が接続されていてもよい。
【００２３】
さらに、該ます本体部２内であって前記流出口４の周縁には、逆流防止装置３０が脱着自在に取り付けられている。該逆流防止装置３０は、逆流防止装置本体３１を有し、該逆流防止装置本体３１の内部には弁体としての開閉蓋３２が上下方向に回動自在に配設されている。そして、該逆流防止装置３０が前記流出口４に装着された状態で前記開閉蓋３２が開閉することにより、ます本体部２内と排水経路下流側配管１４内とを開通させる開通状態と、該ます本体部２内と該排水経路下流側配管１４内とを遮断する閉塞状態とに、状態変換される。
【００２４】
かかる構成にあって、浄化槽２１から流出した排水は、浄化槽側配管１３を通って流入口３からます本体部２内に流入し、泥溜め部５内に一定量貯留された後、逆流防止装置３０の開閉蓋３２を持ち上げて流出口４から排水経路下流側配管１４へ案内され、側溝２２へと排水される。
【００２５】
また、図１，２に示すように、前記逆流防止装置本体３１の上部には、上方に向けて突出した逆Ｌ字状の取手部３３が形成されている。該取手部３３は、該逆流防止装置３０を脱着する際に作業者が把持する部位であり、持ち運びや装着固定時の回動動作等を容易として作業性を向上させるものである。
【００２６】
さらに該取手部３３について詳述すると、該取手部３３は、Ｌ字状に屈曲した管体で構成されており、その下側の管端が該逆流防止装置本体３１の上部に接続され、上側の管端が前記ます本体部２内であって前記流出口４における排水経路下流側配管１４の管頂より高い位置にある空間Ｙに配置されている。そして、該取手部３３の内部空間が、通気路３４とされている。すなわち、該通気路３４の一端は、排水経路下流側配管１４内に連通し、他端は、前記空間Ｙに連通している。
【００２７】
さらに、図２に示すように、前記通気路３４には、逆流防止手段としてのフロート弁４０が配設されている。具体的には、該フロート弁４０は、球状の弁体４１を有している。また、前記取手部３３における鉛直方向に沿って形成された下端部の内周面に、上側が縮径するテーパー部４２が形成されている。そして、該弁体４１が該テーパー部４２に上下動自在に配置されている。
【００２８】
そして、通常時は、図２（ａ）に示すように、弁体４１の上面部が前記テーパー部４２の壁面に対して離開しており、通気路３４を介して通気が可能となる。
【００２９】
一方、図２（ｂ）に示すように、集中豪雨等によって過剰な排水が側溝２２に集中し、排水経路下流側配管１４内が排水で満たされて上記逆流防止装置３０の開閉蓋３２が閉塞状態であるような場合、該排水経路下流側配管１４内の排水が前記弁体４１を浮遊させて該弁体４１の上面部を前記テーパー部４２に押し当てる。そうすると、ます本体部２内の上記空間Ｙと排水経路下流側配管１４内とが遮断され、該排水経路下流側配管１４内の排水が該ます本体部２の上記空間Ｙに流入してしまうことを防ぐことができる。
【００３０】
このように逆流防止ます１Ａに通気路３４を設けることにより、前記排水経路Ｘにおいて上流側であるます本体部２内と、下流側である排水経路下流側配管１４内との間で好適に通気を確保することができる。このため、該ます本体部２の内圧が高くなってしまうことを抑制できる。また、逆流防止ます１Ａにおける内部空間が常に適正な内圧に維持されるため、該逆流防止装置３０の開閉蓋３２が内圧変動によって繰り返し上下動してしまうことがなくなり、不快な異音が発生したり、該逆流防止装置３０の止水効果が低下したりすることがない。
【００３１】
また、上記構成は、逆流防止装置３０の脱着作業時に使用される取手部３３に通気路３４が形成されているため、逆流防止装置３０全体がコンパクトな構造となり、ます本体部２内のスペースをできる限り広く確保することができる。さらに、該通気路３４には、逆流防止手段としてのフロート弁４０が配設されているため、前記排水経路下流側配管１４内を流れる排水が該通気路３４を通ってます本体部２内に流入してしまうことを防止できる。
【００３２】
また、図３に示すような逆流防止ます１Ｂが提案される。該逆流防止ます１Ｂにあっては、逆流防止装置３０における逆流防止装置本体３１の上部に通気用管体３５が立設されている。該通気用管体３５は、直管形状をなし、その内部空間により通気路３６が構成されている。そして、該通気路３６の下端は、前記排水経路下流側配管１４内に連通し、上端は前記流出口４における排水経路下流側配管１４の管頂より高い位置にある空間Ｙに連通している。前記通気用管体３５の上端を、側溝２２の上端（満水位）よりも高い位置に設けることで、ます本体部２内であって流出口４における排水経路下流側配管１４の管頂より高い位置にある空間Ｙに該排水経路下流側配管１４内の排水が流入してしまうことを防ぐことができる。
【００３３】
本発明は、上記実施例に限定されず、本発明の主旨を逸脱しない範囲で適宜設計変更可能である。
また、通気路３４が形成される取手部３３は、側面視Ｔ字状であってもよい。
【００３４】
また、排水設備としては、側溝２２に限定されることはなく、下水本管、雨水本管、水路等であってもよい。また、浄化槽２１から排出された排水は、河川に直接排水されてもよい。
【符号の説明】
【００３５】
１Ａ，１Ｂ    逆流防止ます
２            ます本体部
３            流入口
４            流出口
１３          浄化槽側配管
１４          排水経路下流側配管
２１          浄化槽
３０          逆流防止装置
３１          逆流防止装置本体
３３          取手部
３４，３６    通気路
４０          フロート弁（逆流防止手段）
５０          浄化槽排水構造
Ｘ            排水経路
Ｙ            空間
【図１】
0005863171.tif 000002
【図２】
0005863171.tif 000003
【図３】
0005863171.tif 000004